(57)【要約】【課題】本発明は、広告効果を厳密に知ることができ、広告効果に応じた広告料を算出して管理できる技術を提供することにある。【解決手段】本発明は、広告料を管理する広告料管理システムであって、広告商品を登録する商品登録手段と、前記広告商品を掲載する広告媒体を登録する媒体登録手段と、前記登録された広告商品と広告媒体との組み合わせを一意に識別するメール情報を生成する生成手段と、前記生成されたメール情報を用いて送信されたメールに基づいて広告料を算出する算出手段とを有する。【選択図】        図１
2007206795.tif 000002
【特許請求の範囲】
【請求項１】
広告料を管理する広告料管理システムであって、
広告商品を登録する商品登録手段と、
前記広告商品を掲載する広告媒体を登録する媒体登録手段と、
前記登録された広告商品と広告媒体との組み合わせを一意に識別するメール情報を生成する生成手段と、
前記生成されたメール情報を用いて送信されたメールに基づいて広告料を算出する算出手段と
を有することを特徴とする広告料管理システム。
【請求項２】
前記生成手段は、前記登録された広告商品と広告媒体との全ての組み合わせに対してメール情報を生成する手段であることを特徴とする請求項１に記載の広告料管理システム。
【請求項３】
前記生成手段は、前記メール情報を必要に応じて生成する手段であることを特徴とする請求項１に記載の広告料管理システム。
【請求項４】
前記生成手段は、前記登録された広告商品と広告媒体との組み合わせを一意に識別できるメールアドレスを生成する手段であることを特徴とする請求項１から請求項３のいずれかに記載の広告料管理システム。
【請求項５】
前記生成手段は、前記登録された広告媒体を一意に識別するメールアドレスと、前記登録された広告商品を一意に識別するキーワードとの組み合わせを生成する手段であることを特徴とする請求項１から請求項３のいずれかに記載の広告料管理システム。
【請求項６】
広告料を管理する広告料管理方法であって、
広告商品を登録する商品登録ステップと、
前記広告商品を掲載する広告媒体を登録する媒体登録ステップと、
前記登録された広告商品と広告媒体との組み合わせを一意に識別するメール情報を生成する生成ステップと、
前記生成されたメール情報を用いて送信されたメールに基づいて広告料を算出する算出ステップと
を有することを特徴とする広告料管理方法。
【請求項７】
前記生成ステップは、前記登録された広告商品と広告媒体との全ての組み合わせに対してメール情報を生成するステップであることを特徴とする請求項６に記載の広告料管理方法。
【請求項８】
前記生成ステップは、前記メール情報を必要に応じて生成するステップであることを特徴とする請求項６に記載の広告料管理方法。
【請求項９】
前記生成されたメール情報を用いて、商品の購入に関する情報の送信要求を生成して送信する送信ステップを有することを特徴とする請求項６から請求項８のいずれかに記載の広告料管理方法。
【請求項１０】
前記生成されたメール情報を用いて、商品の購入に必要となる情報を生成して送信する送信ステップを有することを特徴とする請求項６から請求項８のいずれかに記載の広告料管理方法。
【請求項１１】
広告料を管理する広告料管理システムの管理サーバであって、
登録された広告商品と広告媒体との組み合わせを一意に識別するメール情報を生成する生成手段
を有することを特徴とする管理サーバ。
【請求項１２】
広告料を管理する広告料管理システムのプログラムであって、前記プログラムは前記広告料管理システムを、
広告商品を登録する商品登録手段と、
前記広告商品を掲載する広告媒体を登録する媒体登録手段と、
前記登録された広告商品と広告媒体との組み合わせを一意に識別するメール情報を生成する生成手段と、
前記生成されたメール情報を用いて送信されたメールに基づいて広告料を算出する算出手段と
して機能させることを特徴とするプログラム。
【請求項１３】
広告料を管理する広告料管理システムの管理サーバのプログラムであって、前記プログラムは前記サーバを、
登録された広告商品と広告媒体との組み合わせを一意に識別するメール情報を生成する生成手段
として機能させることを特徴とするプログラム。
【発明の詳細な説明】
【技術分野】
【０００１】
本発明は、広告料を管理するためのシステムに関し、特に、ユーザが商品を発注するにあたって見た広告の確認が容易に出来、確実な広告効果測定や広告主への請求金額および広告媒体者への支払い金額を集計することが可能となる技術に関する。
【背景技術】
【０００２】
一般に、事業者は、商品を販売するにあたって様々な媒体に商品の広告を載せて宣伝を行っているが、商品販売の拡大を図るために複数の媒体に商品の広告を載せていることが多い。事業者としては、どの媒体に載せた広告が効果的であったかを特定したいという要望があった。また、事業者は、広告効果に見合った広告料を支払いたいという要望があった。
【０００３】
従来の技術として、広告効果を測定し、この広告効果に見合った広告料を広告主に支払う技術がある（例えば特許文献2004-2347520）。
【０００４】
【特許文献１】特開2004-2347520
【発明の開示】
【発明が解決しようとする課題】
【０００５】
特許文献１では、ユーザが閲覧した広告をユーザが入力する構成を取っている。そのため、間違った情報や虚偽の情報が入力される可能性があり、どの広告媒体又は広告枠効果を厳密に知ることが出来なかった。
【０００６】
また、特許文献１では、広告主は商品の発注を受けるためのＷＥＢサイト及びＷＥＢサイト運用に伴って必要となるコールセンター等を用意しなければならなかった。ＷＥＢサイトを利用して発注を受けるには様々な機能（ツール）を搭載させなければならず、広告主にとっては大きな負担となっていた。
【０００７】
従って、本発明が解決しようとする課題は、どの広告媒体又は広告枠を閲覧して商品を発注しているかを厳密に知ることができ、広告効果に応じた広告料を算出して管理できる技術を提供することにある。
【０００８】
更に、本発明が解決しようとする課題は、広告主が商品購入用のサイト及びコールセンター等を作らなくても商品の発注を受けることが出来る技術を提供することを目的とする。
【課題を解決するための手段】
【０００９】
上記課題を解決するための第１の発明は、
広告料を管理する広告料管理システムであって、
広告商品を登録する商品登録手段と、
前記広告商品を掲載する広告媒体を登録する媒体登録手段と、
前記登録された広告商品と広告媒体との組み合わせを一意に識別するメール情報を生成する生成手段と、
前記生成されたメール情報を用いて送信されたメールに基づいて広告料を算出する算出手段と
を有することを特徴とする。
【００１０】
上記課題を解決するための第２の発明は、上記第１の発明において、
前記生成手段は、前記登録された広告商品と広告媒体との全ての組み合わせに対してメール情報を生成する手段であることを特徴とする。
【００１１】
上記課題を解決するための第３の発明は、上記第１の発明において、
前記生成手段は、前記メール情報を必要に応じて生成する手段であることを特徴とする。
【００１２】
上記課題を解決するための第４の発明は、上記第１から第３のいずれかの発明において、
前記生成手段は、前記登録された広告商品と広告媒体との組み合わせを一意に識別できるメールアドレスを生成する手段であることを特徴とする。
【００１３】
上記課題を解決するための第５の発明は、上記第１から第３のいずれかの発明において、
前記生成手段は、前記登録された広告媒体を一意に識別するメールアドレスと、前記登録された広告商品を一意に識別するキーワードとの組み合わせを生成する手段であることを特徴とする。
【００１４】
上記課題を解決するための第６の発明は、
広告料を管理する広告料管理方法であって、
広告商品を登録する商品登録ステップと、
前記広告商品を掲載する広告媒体を登録する媒体登録ステップと、
前記登録された広告商品と広告媒体との組み合わせを一意に識別するメール情報を生成する生成ステップと、
前記生成されたメール情報を用いて送信されたメールに基づいて広告料を算出する算出ステップと
を有することを特徴とする。
【００１５】
上記課題を解決するための第７の発明は、上記第６の発明において、
前記生成ステップは、前記登録された広告商品と広告媒体との全ての組み合わせに対してメール情報を生成するステップであることを特徴とする。
【００１６】
上記課題を解決するための第８の発明は、上記第６の発明において、
前記生成ステップは、前記メール情報を必要に応じて生成するステップであることを特徴とする。
【００１７】
上記課題を解決するための第９の発明は、上記第６から第８のいずれかの発明において、
前記生成されたメール情報を用いて、商品の購入に関する情報の送信要求を生成して送信する送信ステップを有することを特徴とする。
【００１８】
上記課題を解決するための第１０の発明は、上記第６から第８のいずれかの発明において、
前記生成されたメール情報を用いて、商品の購入に必要となる情報を生成して送信する送信ステップを有することを特徴とする。
【００１９】
上記課題を解決するための第１１の発明は、
広告料を管理する広告料管理システムの管理サーバであって、
登録された広告商品と広告媒体との組み合わせを一意に識別するメール情報を生成する生成手段
を有することを特徴とする。
【００２０】
上記課題を解決するための第１２の発明は、
広告料を管理する広告料管理システムのプログラムであって、前記プログラムは前記広告料管理システムを、
広告商品を登録する商品登録手段と、
前記広告商品を掲載する広告媒体を登録する媒体登録手段と、
前記登録された広告商品と広告媒体との組み合わせを一意に識別するメール情報を生成する生成手段と、
前記生成されたメール情報を用いて送信されたメールに基づいて広告料を算出する算出手段と
して機能させることを特徴とする。
【００２１】
上記課題を解決するための第１３の発明は、
広告料を管理する広告料管理システムの管理サーバのプログラムであって、前記プログラムは前記サーバを、
登録された広告商品と広告媒体との組み合わせを一意に識別するメール情報を生成する生成手段
として機能させることを特徴とする。
【００２２】
本発明は、一対の広告と媒体に対してメールアドレスを自動的に発行することで、広告閲覧者が利用するサイトを用意することなく受注を得ることが可能となり、また、各メールアドレスの受信数を集計することにより、発注者（ユーザ）が見た広告又は媒体の確認が容易に出来、確実な広告効果測定や広告主への請求金額および媒体者への支払い金額を集計することが可能となる技術に関する。
【発明の効果】
【００２３】
本発明によると、広告主は、ユーザがどの広告媒体又は広告枠を閲覧して商品を発注しているかを厳密に知ることができる。そのため、どの広告媒体又は広告枠が効果的であったかを知ることができ、その実績に見合った広告料を支払える技術を提供することにある。
【００２４】
また、どの広告媒体又は広告枠が効果的であったかを知ることができ、以後、広告掲載するための広告媒体を適切に選択することが出来る技術を提供する。
【００２５】
更に、広告主が商品購入用のＷＥＢサイトやコールセンターを作らなくても商品の発注を受けることが出来る。
【発明を実施するための最良の形態】
【００２６】
本発明の第１の実施の形態について説明する。
【００２７】
図１は、本発明の概要図である。
【００２８】
図１に示されるように、本システムは、広告媒体発行主の端末１、広告主の端末２、広告管理者の管理サーバ３、ユーザの端末４、及び受注サーバ５を有する。尚、本発明では、管理サーバ３が各種情報を登録するために送信する画面はＨＴＭＬ等で作成されたＷｅｂページを想定して説明するが、各種情報を登録できる形態であればこれに限るものではない。
【００２９】
広告媒体発行主の端末１は、管理サーバ３に広告媒体又は広告枠を登録するために用いられる端末であり、例えば、広告を掲載させることが出来る雑誌、フリーペーパー、看板等の広告媒体を発行する発行主が管理サーバ３に広告媒体又は広告枠を登録するために用いられる端末である。
【００３０】
広告主の端末２は、広告商品を管理サーバ３に登録する際に用いられる端末であり、例えば、広告主が広告媒体に掲載させたい商品である広告商品を管理サーバ３に登録する際に用いられる端末である。
【００３１】
管理サーバ３は、広告管理者が有するサーバである。この管理サーバ３は、広告媒体発行主の端末１を用いて登録された広告媒体若しくは広告枠中のひとつと、広告主の端末２を用いて登録された広告商品中のひとつとの組み合わせを一意に識別する発注メールアドレスを発行し、メールアドレスデータベースに登録する。広告媒体の発行主は、このメールアドレスデータベースに登録されている発注メールアドレスを広告媒体に掲載させる。
【００３２】
ユーザの端末４は、広告閲覧者であるユーザが広告媒体に掲載されている発注メールアドレスを用いて商品の発注を行う。
【００３３】
受注サーバ５は、ユーザの端末４から送信されてきた発注メールを受信すると、購入（申し込み）情報を課金データベースに記録する。
【００３４】
続いて、本実施の形態の動作について説明する。
【００３５】
まず、広告主の端末２側の動作について説明する。
【００３６】
広告主は、広告主の端末２を用いて管理サーバ３にアクセスする。管理サーバ３は、広告主の端末２に管理画面を送信する。
【００３７】
広告主は、広告主の端末２に表示された管理画面の広告主登録ボタンを押下して、広告主登録画面の送信を要求する。これを受けて、管理サーバ３は図２に示すような広告主登録画面を送信する。
【００３８】
広告主は、広告主情報を広告主登録画面に入力して送信する。管理サーバ３は、送信されてきた広告主情報と、その広告主を一意に識別する広告主識別情報とを対応付けて広告主データベースに記録する。
【００３９】
広告主情報の登録が終了後、広告主は広告主の端末２を用いて管理画面に戻り、今度は広告登録ボタンを押下して広告登録画面の送信の要求を管理サーバ３に対して行う。これを受けて、管理サーバ３は図３に示すような広告登録画面を送信する。
【００４０】
広告主は、広告商品に関する情報を広告登録画面に入力して送信する。管理サーバ３は、送信されてきた広告商品に関する情報と、その広告商品に関する情報を一意に識別する広告商品識別情報とを対応付けて広告情報データベースに記録する。
【００４１】
続いて、媒体発行主の端末１側の動作について説明する。
【００４２】
広告媒体の発行主は、媒体発行主の端末１を用いて管理サーバ３にアクセスする。管理サーバ３は、媒体発行主の端末１に管理画面を送信する。
【００４３】
広告媒体の発行主は、媒体発行主登録ボタンを押下して媒体発行者登録画面の送信を要求する。これを受けて、管理サーバ３は図４に示すような媒体発行主登録画面を送信する。
【００４４】
広告媒体の発行主は、媒体発行主情報を媒体発行主登録画面に入力し送信する。管理サーバ３は、媒体発行主情報と、その媒体発行主を一意に識別する媒体発行主識別情報とを対応づけて広告媒体発行主データベースに記録する。
【００４５】
広告媒体発行主の登録が終了後、広告媒体の発行主は媒体発行主の端末１を用いて管理画面に戻り、今度は媒体登録ボタンを押下して媒体登録画面の送信要求を管理サーバ３に対して行う。これを受けて、管理サーバ３は、図５に示すような媒体登録画面を送信する。
【００４６】
広告媒体の発行主は、広告枠に関する情報である媒体情報を媒体登録画面に入力し送信する。管理サーバ３は、送信されてきた媒体情報と、この媒体情報を一意に識別する広告媒体識別情報とを対応付けて媒体情報データベースに登録する。
【００４７】
続いて、管理サーバ３側の動作について説明する。
【００４８】
管理サーバ３は、登録された広告情報の１レコードと媒体情報の１レコードとを組み合わせ、この組み合わせを一意に識別できるメールアドレスを生成してこの組み合わせに対応付けてメールアドレスデータベースに記録する。
【００４９】
広告媒体発行主は、広告掲載する際に広告商品と広告媒体とを指定し、この指定した広告商品と広告媒体との組み合わせに対して生成されたメールアドレスを取得して掲載させる。
【００５０】
続いて、ユーザの端末４の動作について説明する。
【００５１】
購入（申し込み）を希望するユーザ（広告閲覧者）は、ユーザ端末４を用いて、発注に必要となる事項を記載した発注メールを、広告に掲載されたメールアドレス宛に送信する。
【００５２】
続いて、受注サーバ５の動作について説明する。
【００５３】
受注サーバ５は、ユーザの端末４から発注メールを受信すると、発注メールのメールアドレスに基づいて、メールアドレスデータベースから広告商品識別情報を検索する。この検索した広告商品識別情報に基づいて、広告データベースから広告主識別情報を検索する。更に、検索した広告主識別情報に基づいて、広告主データベースから連絡先であるメールアドレスを取得する。そして、広告主に発注メールに記載されている発注情報を送信する。広告主は受信した発注情報をもとに広告閲覧者へ商品の発送等のサービスを提供する。尚、発注情報を送信するタイミングは、発注メールが送信された毎であっても、所定の感覚毎にまとめて送信しても良い。
【００５４】
更に、受注サーバ５は、ユーザの端末４から発注メールを受信すると、発注メールのメールアドレスに基づいて、メールアドレスデータベースから広告商品識別情報を検索する。この検索した広告商品識別情報に基づいて、広告データベースから広告主識別情報と広告料とを取得する。また、受注サーバ５は、発注メールのメールアドレスに基づいて、メールアドレスデータベースから広告媒体識別情報を検索する。この検索した広告媒体識別情報に基づいて、媒体情報データベースから媒体発行主識別情報を取得する。そして、取得した媒体発行主識別情報、広告主識別情報、及び広告料を互いに対応づけて課金データベースに登録する。更に、ある一定の期間ごとにこの課金データベースに基づいて広告主毎の広告料を算出して請求書を作成して広告主に送信する。広告主は、この請求書で広告効果を知ることが出来る。広告主は、管理サーバ３を管理している会社に対して、請求書にもとづいた金額の支払いを行う。尚、請求書を送信するタイミングは、商品の発注毎であってもよい。また、請求書を送信する手段は、メールであっても郵送であっても良い。
【００５５】
一方で、受注サーバ５は、課金データベースに登録されているデータに基づいて広告主毎の支払料を算出して、管理サーバ３を管理している会社に支払書を送信する。尚、この請求書を送信するタイミングは、商品の発注毎であっても、ある一定の期間ごとであってもよい。管理会社は、媒体発行者に対し、支払書をもとづいた金額の支払いを行う。
【００５６】
尚、上記実施の形態では、管理サーバ５を管理会社が有する場合について説明したが、管理サーバ５を広告媒体発行主が有しても広告主が有しても良い。また、上記実施の形態では、広告料を算出する場合について説明したが、点数制にして、点数に応じた広告料又は支払料を計算する構成であっても良い。
【００５７】
次に、本発明の第２の実施の形態について説明する。
【００５８】
上記第１の実施の形態では、ユーザは、管理サーバ３が発行したメールアドレス宛に、必要事項を記載したメールを送信する構成について説明した。
【００５９】
本実施の形態では、ユーザは、管理サーバ３が発行したメールアドレス宛に空メールを送信し、この空メールを受信した受注サーバがユーザ端末宛に商品購入用のメールを送信する構成について説明する。尚、本実施の形態では、上記実施の形態と同様の構成であり、ユーザの端末４及び受注サーバ５の機能が一部異なるため、ユーザの端末４及び受注サーバ５の異なる部分の機能についてのみ説明する。
【００６０】
ユーザの端末４は、広告閲覧者であるユーザが広告媒体に掲載されているメールアドレス宛に、発注用メールの送信要求を示すメール（空メール）を送信する。そして、この要求に応答して送信されてきたメールに、商品を発注するための必要事項を記載して返信する。
【００６１】
受注サーバ５は、空メールをユーザの端末４から受信すると、商品発注のフォーマットが記載された発注用メールを送信する。
【００６２】
続いて、本実施の形態の動作について説明する。
【００６３】
媒体発行主の端末１、広告主の端末２、及び管理サーバ３の動作については、上記第１の実施の形態と同一であるため、省略する。
【００６４】
ユーザの端末４側の動作について説明する。
【００６５】
購入（申し込み）を希望するユーザ（広告閲覧者）は、ユーザ端末４を用いて、発注用メールの送信要求を示すメール（空メール）を、広告に掲載されたメールアドレス宛に送信する。そして、この要求に応答して送信されてきたメールに、商品を発注するための必要事項を記載して返信する。尚、返信先のメールアドレスは、管理サーバ５が生成したメールアドレスとは異なるものとなる。
【００６６】
続いて、受注サーバ５の動作について説明する。
【００６７】
受注サーバ５は、ユーザの端末４から空メールを受信すると、商品発注のフォーマットが記載された発注用メールを送信する。
【００６８】
そして、ユーザは、送信されてきたメールに商品を発注するための必要事項を記載して返信する。これ以降の受注サーバ５の動作は、上記第１の実施の形態と同一であるため、説明を省略する。
【００６９】
尚、上記実施の形態では、受注サーバ５はユーザ端末４から空メールを受信するとユーザ端末宛に商品購入用のフォーマットが記載されたメールを送信する構成について説明したがこの限りではない。例えば、受注サーバ５は、商品購入用のフォーマットが記載されたメールの代わりに、発注用のホームページのアドレスを送信する構成であっても良い。
【００７０】
本実施例によると、ユーザ端末は、商品購入用のフォーマットを送信してもらうための空メールを送信し、送信されて来た商品購入用のフォーマットが記載されたメールに返信する構成となっているので、ユーザが広告媒体に掲載されていたメールアドレスを間違えた状態で送信しても、ユーザの個人情報が漏洩されることがない。
【００７１】
次に第３の実施の形態について説明する。
【００７２】
上記第１及び第２の実施の形態では、管理サーバ３が広告商品と広告媒体との組み合わせに対してメールアドレスを生成する構成について説明した。本実施の形態では、広告媒体を一意に識別するメールアドレスと、更に広告商品を一意に識別するためのキーワードとを対応付けた掲載用メール情報を生成する構成について説明する。尚、本実施の形態では、上記実施の形態と同様の構成であり、管理サーバ３の機能が一部異なるため、管理サーバ３の機能の異なる部分についてのみ説明する。
【００７３】
管理サーバ３は、広告媒体発行主の端末１を用いて登録された広告媒体若しくは広告枠を一意に識別するメールアドレスを生成する。更に、管理サーバ３は、広告主の端末２を用いて登録された広告商品を一意に識別するキーワードを生成する。そして、広告媒体若しくは広告枠を一意に識別するメールアドレスと広告商品を一意に識別するキーワードとを組み合わせて掲載用メールアドレス情報データベースに登録する。広告媒体の発行主は、この掲載用メールアドレス情報データベースに登録されているメールアドレスとキーワードとを広告媒体に掲載させる。尚、広告媒体若しくは広告枠を一意に識別するメールアドレスと広告商品を一意に識別するキーワードとは、それぞれ、広告媒体発行主及び広告主が指定して生成しても良い。
【００７４】
ユーザの端末４は、広告閲覧者であるユーザが広告媒体に掲載されているメールアドレスを宛先に設定し、メールの件名又はメッセージにキーワードを記載して、発注用メールの送信要求を示すメール（空メール）を送信する。
【００７５】
続いて、本実施の形態の動作について説明する。
【００７６】
媒体発行主の端末１及び広告主の端末２の動作については、上記の実施の形態と同一であるため、省略する。
【００７７】
管理サーバ３の動作について説明する。
【００７８】
管理サーバ３は、広告媒体発行主の端末１を用いて登録された広告媒体若しくは広告枠を一意に識別するメールアドレスを生成し、広告主の端末２を用いて登録された広告商品を一意に識別するキーワードを生成して、広告媒体若しくは広告枠を一意に識別するメールアドレスと広告商品を一意に識別するキーワードとを組み合わせて掲載用メールアドレス情報データベースに登録する。尚、掲載用メールアドレス情報が生成されるタイミングは、広告情報又は媒体情報が新規に登録された際であっても、メールアドレスが生成されていない組み合わせを任意の間隔で検索して、検索された際に生成しても良い。
【００７９】
ユーザの端末４側の動作について説明する。
【００８０】
購入（申し込み）を希望するユーザ（広告閲覧者）は、ユーザ端末４を用いて、発注用メールの送信要求を示すメール（空メール）を、広告に掲載されたメールアドレスを宛先設定し、更にメールの件名又はメッセージにキーワードを記載して送信する。そして、この要求に応答して送信されてきたメールに、商品を発注するための必要事項を記載して返信する。尚、返信先のメールアドレスは、管理サーバ５が生成したメールアドレスとは異なるものとなる。
【００８１】
続いて、受注サーバ５の動作について説明する。
【００８２】
受注サーバ５は、ユーザの端末４から発注メールを受信すると、発注メールのメールアドレスとキーワードとに基づいて、掲載用メールアドレス情報データベースから広告商品識別情報を検索する。この検索した広告商品識別情報に基づいて、広告データベースから広告主識別情報を検索する。更に、検索した広告主識別情報に基づいて、広告主データベースから連絡先であるメールアドレスを取得してする。そして、広告主に発注メールに記載されている発注情報を送信する。広告主は受信した発注情報をもとに広告閲覧者へ商品の発送等のサービスを提供する。尚、発注情報を送信するタイミングは、発注メールが送信された毎であっても、所定の感覚毎にまとめて送信しても良い。
【００８３】
更に、受注サーバ５は、ユーザの端末４から発注メールを受信すると、発注メールのメールアドレスとキーワードとに基づいて、掲載用メールアドレス情報データベースから広告商品識別情報を検索する。この検索した広告商品識別情報に基づいて、広告データベースから広告主識別情報と広告料とを取得する。そして、広告主識別情報と広告料とを互いに対応づけて課金データベースに登録する。更に、この課金データベースに基づいて広告主に請求書を送信する。尚、この請求書を送信するタイミングは、商品の発注毎であっても、ある一定の期間ごとであってもよい。また、請求書を送信する手段は、メールであっても郵送であっても良い。広告主は、管理サーバ３を管理している会社に対して、請求書にもとづいた金額の支払いを行う。
【００８４】
一方で、受注サーバ５は、課金データベースに登録されているデータに基づいて広告主毎の支払料を算出して、管理サーバ３を管理している会社に支払書を送信する。尚、この請求書を送信するタイミングは、商品の発注毎であっても、ある一定の期間ごとであってもよい。管理会社は、媒体発行者に対し、支払書をもとづいた金額の支払いを行う。
【実施例１】
【００８５】
本発明の実施例１について説明する。
【００８６】
図１に示されるように、本システムは、媒体発行主の端末１、広告主の端末２、広告管理者の管理サーバ３、ユーザの端末４、及び受注サーバ５を有する。
【００８７】
媒体発行主の端末１は、広告媒体の発行主が管理サーバ３に広告枠と広告媒体の発行主の情報とを登録するために用いられる端末である。尚、媒体発行主とは、フリーペーパー、雑誌、看板、ポスター等のように、広告を掲載する媒体の発行者である。
【００８８】
広告主の端末２は、広告に関する情報及び広告主が広告をしたい広告商品を管理サーバ３に登録する際に用いられる端末である。
【００８９】
この管理サーバ３は、媒体発行主の端末１を用いて登録された広告枠のひとつと、広告主の端末２を用いて登録された広告商品のひとつとの組み合わせを一意に識別するメールアドレスを発行する。管理サーバ３は、全広告商品と全広告枠との組み合わせに対してメールアドレスを発行する。そして、この発行されたメールアドレスデータベースに登録する。広告媒体の発行主は、このメールアドレスデータベースに登録されているメールアドレスを広告媒体に掲載させる。尚、管理サーバ３は、広告管理者が有するサーバであっても、広告媒体の発行主であってもよい。
【００９０】
ユーザの端末４は、広告閲覧者であるユーザが広告媒体に掲載されているメールアドレスを用いて商品の発注を行う。
【００９１】
受注サーバ５は、ユーザの端末４から送信されてきた発注メールを受信すると、購入（申し込み）情報を課金データベースに記録する。
【００９２】
続いて、実施例１の動作について説明する。
【００９３】
まず、広告主の端末２側の動作について説明する。
【００９４】
広告主は、広告主の端末２を用いて管理サーバ３にアクセスする。管理サーバ３は、広告主の端末２に管理画面を送信する。
【００９５】
広告主は、広告主の端末２に表示された管理画面の広告登録ボタンを押下して、広告主登録画面の送信を要求する。これを受けて、管理サーバ３は図３に示すような広告主登録画面を送信する。
【００９６】
広告主は、広告主情報を広告主登録画面に入力して送信する。
【００９７】
管理サーバ３は、送信されてきた広告主情報を広告主データベースに記録する。このとき、管理サーバ３は、広告主を一意に識別する広告主識別情報と、広告主名と、営業担当者名と、郵便物届先住所と、電話番号と、メールアドレスと、経理担当者名と、請求書届先住所とを互いに関連付けて、図７に示すような広告主データベースを作成する。尚、広告主データベースは、広告主を一意に識別する広告主識別情報と、郵便物届先住所、電話番号、又はメールアドレスと、請求書届先とが少なくとも登録されていれば良い。
【００９８】
広告主の登録が終了後、広告主は広告主の端末１を用いて、管理サーバ３に対して広告登録画面の送信を要求する。これを受けて、管理サーバ３は図５に示すような広告登録画面を送信する。
【００９９】
広告主は、広告情報を広告登録画面に入力して送信する。
【０１００】
管理サーバ３は、送信されてきた広告情報を広告情報データベースに記録する。このとき、管理サーバ３は、広告商品を一意に識別する広告商品識別情報と、広告商品名と、商品カテゴリと、商品の写真と、商品ターゲットと、支払い方法と、商品販売価格と、広告の報奨金額とを互いに関連付けて、図８に示すような広告データベースを作成する。尚、広告データベースは、少なくとも広告商品識別情報と、広告主が登録されれば良い。
【０１０１】
続いて、媒体発行主の端末１側の動作について説明する。
【０１０２】
広告媒体の発行主は、媒体発行主の端末１を用いて管理サーバ３にアクセスする。管理サーバ３は、媒体発行主の端末１に管理画面を送信する。
【０１０３】
広告媒体の発行主は、媒体発行主登録ボタン押下して媒体発行者登録画面の送信を要求する。これを受けて、管理サーバ３は図４に示すような媒体発行主登録画面を送信する。
【０１０４】
広告媒体の発行主は、媒体発行主情報を媒体発行主登録画面に入力し送信する。
【０１０５】
管理サーバ３は、媒体発行主情報を広告媒体発行主データベースに記録する。このとき、管理サーバ３は、媒体発行主を一意に識別する媒体発行主識別情報と、媒体発行主名と、営業担当者名と、郵便物届先住所と、電話番号と、メールアドレスと、指定支払口座とを互いに関連付けて、図９に示すような広告媒体発行主データベースを生成する。尚、広告媒体発行主データベースは、少なくとも媒体発行主識別情報と指定支払口座とが登録されていればよい。
【０１０６】
広告媒体発行主の登録が終了後、広告媒体の発行主は媒体発行主の端末１を用いて、管理サーバ３に対して、媒体登録画面の送信を要求する。これを受けて、管理サーバ３は、図５に示すような媒体登録画面を送信する。
【０１０７】
広告媒体の発行主は、広告枠に関する情報である媒体情報を媒体登録画面に入力し送信する。
【０１０８】
管理サーバ３は、媒体情報を媒体情報データベースに登録する。このとき、管理サーバ３は、広告媒体を一意に識別する広告媒体識別情報と、広告媒体名と、媒体の種類と、発行部数と、媒体ターゲットとを互いに関連付けて、図１０に示すような媒体情報データベースを作成する。尚、媒体情報データベースは、少なくとも広告媒体識別情報と、広告媒体名とが登録されれば良い。
【０１０９】
続いて、管理サーバ３のメールアドレス生成に関する動作について説明する。
【０１１０】
管理サーバ３は、上記登録された広告情報の１レコードと媒体情報の１レコードとの組み合わせに対して、これを一意に識別できるメールアドレスを発行し、メールアドレスデータベースに記録する。これを、広告情報の全レコードと媒体情報の全レコードとの組み合わせに対して作成し、図１１に示すようなメールアドレスデータベースを作成する。尚、メールアドレスが生成されるタイミングは、広告情報又は媒体情報が新規に登録された際であっても、メールアドレスが生成されていない組み合わせを任意の間隔で検索して、検索された際に生成しても良い。
【０１１１】
広告媒体の発行主は、管理サーバ３が作成したメールアドレスを広告媒体に掲載する。
【０１１２】
続いて、商品の発注に関する動作について説明する。尚、ここでは、上述した第１の実施の形態を用いて説明するが、第２の実施の形態であっても良い。
【０１１３】
購入（申し込み）を希望するユーザ（広告閲覧者）は、ユーザ端末４を用いて、商品の発注に関する必要事項を記載した発注メールを広告に掲載されたメールアドレス宛に送信する。
【０１１４】
受注サーバ５は、ユーザの端末４から発注メールを受信すると、発注メールのメールアドレスに基づいて、メールアドレスデータベースから広告商品識別情報を検索する。この検索した広告商品識別情報に基づいて、広告データベースから広告主識別情報を検索する。更に、検索した広告主識別情報に基づいて、広告主データベースから連絡先であるメールアドレスを取得してする。そして、広告主に発注メールに記載されている発注情報を送信する。広告主は受信した発注情報をもとに広告閲覧者へ商品の発送等のサービスを提供する。尚、発注情報を送信するタイミングは、発注メールが送信された毎であっても、所定の感覚毎にまとめて送信しても良い。
【０１１５】
更に、受注サーバ５は、ユーザの端末４から発注メールを受信すると、発注メールのメールアドレスに基づいて、メールアドレスデータベースから広告商品識別情報を検索する。この検索した広告商品識別情報に基づいて、広告データベースから広告主識別情報と広告料とを取得する。また、受注サーバ５は、発注メールのメールアドレスに基づいて、メールアドレスデータベースから広告媒体識別情報を検索する。この検索した広告媒体識別情報に基づいて、媒体情報データベースから媒体発行主識別情報を取得する。そして、取得した媒体発行主識別情報、広告主識別情報、及び広告料を互いに対応づけて課金データベースに登録する。更に、この課金データベースに基づいて広告主に請求書を送信する。尚、この請求書を送信するタイミングは、商品の発注毎であっても、ある一定の期間ごとであってもよい。また、請求書を送信する手段は、メールであっても郵送であっても良い。広告主は、管理サーバ３を管理している会社に対して、請求書にもとづいた金額の支払いを行う。
【０１１６】
一方で、受注サーバ５は、課金データベースに登録されているデータに基づいて広告主毎の支払料を算出して、管理サーバ３を管理している会社に支払書を送信する。尚、この請求書を送信するタイミングは、商品の発注毎であっても、ある一定の期間ごとであってもよい。管理会社は、媒体発行者に対し、支払書をもとづいた金額の支払いを行う。
【０１１７】
本実施例では、広告情報の全レコードと広告媒体情報の全レコードとの組み合わせに対してメールアドレスを生成する構成について記載したが、上記第３の実施の形態のように、広告媒体を一意に識別する全メールアドレスと、広告商品を一意に識別するための全キーワードとの組み合わせに対して掲載用メール情報を生成する構成であっても良い。
【実施例２】
【０１１８】
上記実施例１では、広告情報の全レコードと広告媒体情報の全レコードとの組み合わせに対してメールアドレスを生成する構成について記載したが、広告媒体発行主が掲載させたい広告を選択してそれに応じてメールアドレスを生成する構成について説明する。
【０１１９】
本発明の実施例２について説明する。尚、上記第１の実施例と同様の構成については、同一付番を付し、詳細な説明を省略する。
【０１２０】
実施例２の動作について説明する。
【０１２１】
まず、広告主の端末２側の動作について説明する。
【０１２２】
広告主は、広告主の端末２を用いて管理サーバ３にアクセスする。管理サーバ３は、広告主の端末２に管理画面を送信する。
【０１２３】
広告主は、広告主の端末２に表示された管理画面の広告登録ボタンを押下して、広告主登録画面の送信を要求する。これを受けて、管理サーバ３は図３に示すような広告主登録画面を送信する。
【０１２４】
広告主は、広告主情報を広告主登録画面に入力して送信する。
【０１２５】
管理サーバ３は、送信されてきた広告主情報を広告主データベースに記録する。このとき、管理サーバ３は、広告主を一意に識別する広告主識別情報と、広告主名と、営業担当者名と、郵便物届先住所と、電話番号と、メールアドレスと、経理担当者名と、請求書届先住所とを互いに関連付けて、図７に示すような広告主データベースを作成する。尚、広告主データベースは、広告主を一意に識別する広告主識別情報と、郵便物届先住所、電話番号、又はメールアドレスと、請求書届先とが少なくとも登録されていれば良い。
【０１２６】
広告主の登録が終了後、広告主は広告主の端末１を用いて管理画面に戻り、今度は広告登録ボタンを押下して管理サーバ３に対して広告登録画面の送信を要求する。これを受けて、管理サーバ３は図５に示すような広告登録画面を送信する。
【０１２７】
広告主は、広告情報を広告登録画面に入力して送信する。
【０１２８】
管理サーバ３は、送信されてきた広告情報を広告情報データベースに記録する。このとき、管理サーバ３は、広告商品を一意に識別する広告商品識別情報と、広告商品名と、商品カテゴリと、商品の写真と、商品ターゲットと、支払い方法と、商品販売価格と、広告の報奨金額とを互いに関連付けて、図８に示すような広告データベースを作成する。尚、広告データベースは、少なくとも広告商品識別情報と、広告主が登録されれば良い。
【０１２９】
続いて、媒体発行主の端末１側の動作について説明する。
【０１３０】
広告媒体の発行主は、媒体発行主の端末１を用いて管理サーバ３にアクセスする。管理サーバ３は、媒体発行主の端末１に管理画面を送信する。
【０１３１】
広告媒体の発行主は、媒体発行主登録ボタン押下して媒体発行者登録画面の送信を要求する。これを受けて、管理サーバ３は図４に示すような媒体発行主登録画面を送信する。
【０１３２】
広告媒体の発行主は、媒体発行主情報を媒体発行主登録画面に入力し送信する。
【０１３３】
管理サーバ３は、媒体発行主情報を広告媒体発行主データベースに記録する。このとき、管理サーバ３は、媒体発行主を一意に識別する媒体発行主識別情報と、媒体発行主名と、営業担当者名と、郵便物届先住所と、電話番号と、メールアドレスと、指定支払口座とを互いに関連付けて、図９に示すような広告媒体発行主データベースを生成する。尚、広告媒体発行主データベースは、少なくとも媒体発行主識別情報と指定支払口座とが登録されていればよい。
【０１３４】
広告媒体発行主の登録が終了後、広告媒体の発行主は媒体発行主の端末１を用いて管理画面に戻り、今度は媒体登録ボタンを押下して、管理サーバ３に対して、媒体登録画面の送信を要求する。これを受けて、管理サーバ３は媒体登録画面を送信する。
【０１３５】
広告媒体の発行主は、広告枠に関する情報である媒体情報を入力し、更に掲載させたい広告商品を選択し、これらの情報を送信する。
【０１３６】
管理サーバ３は、媒体情報を媒体情報データベースに登録する。このとき、管理サーバ３は、広告媒体を一意に識別する広告媒体識別情報と、広告媒体名と、媒体の種類と、発行部数と、媒体ターゲットとを互いに関連付けて、図１０に示すような媒体情報データベースを作成する。尚、媒体情報データベースは、少なくとも広告媒体識別情報と、広告媒体名とが登録されれば良い。
【０１３７】
更に、管理サーバ３は、上記登録された媒体情報の１レコードと選択された広告商品情報の１レコードとの組み合わせに対して、これを一意に識別できるメールアドレスを発行し、メールアドレスデータベースを作成する。
【０１３８】
広告媒体の発行主は、管理サーバ３が作成したメールアドレスを広告媒体に掲載する。
【０１３９】
商品の発注に関する動作については、上記第１の実施例と同一であるため、説明を省略する。
【０１４０】
尚、本実施例では、広告媒体発行主が掲載させたい広告を選択してそれに応じてメールアドレスを生成する構成について説明したが、広告主が掲載したい広告媒体を選択してそれに応じてメールアドレスを生成する構成であっても良い。また、本実施例では、広告情報の１レコードと広告媒体情報の１レコードとの組み合わせに対してメールアドレスを生成する構成について記載したが、上記第３の実施の形態のように、広告媒体を一意に識別する全メールアドレスと、広告商品を一意に識別するためのキーワードとの組み合わせに対して掲載用メール情報を生成する構成であっても良い。
【０１４１】
更に、上述した実施例では、広告主データベース、広告データベース、広告媒体発行主データベース、及び媒体情報データベースを別々に構成された場合について説明したがこの限りではない。例えば、広告主データベース及び広告データベース、広告媒体発行主データベース及び媒体情報データベースを同一のデータベースに構成させても良い。
【図面の簡単な説明】
【０１４２】
【図１】図１は、本発明の概要図である。
【図２】図２は、広告主登録画面の一例である。
【図３】図３は、広告登録画面の一例である。
【図４】図４は、媒体発行主登録画面の一例である。
【図５】図５は、媒体登録画面の一例である。
【図６】図６は、広告主データベースの一例である。
【図７】図７は、広告データベースの一例である。
【図８】図８は、広告媒体発行主データベースの一例である。
【図９】図９は、媒体情報データベースの一例である。
【図１０】図１０は、メールアドレスデータベースの一例である。
【図１１】図１１は、課金データベースの一例である。
【図１２】図１２は、掲載用メールアドレス情報データベースの一例である。
【符号の説明】
【０１４３】
１    媒体発行主の端末
２    広告主の端末
３    管理サーバ
４    ユーザの端末
５    受注サーバ
【図１】
2007206795.tif 000003
【図２】
2007206795.tif 000004
【図３】
2007206795.tif 000005
【図４】
2007206795.tif 000006
【図５】
2007206795.tif 000007
【図６】
2007206795.tif 000008
【図７】
2007206795.tif 000009
【図８】
2007206795.tif 000010
【図９】
2007206795.tif 000011
【図１０】
2007206795.tif 000012
【図１１】
2007206795.tif 000013
【図１２】
2007206795.tif 000014